(57)【要約】【課題】装填される電池パックを容易に特定することができると共に、正しく電池の温度を測定することのできる電子機器の外部電源装置を提供することである。【解決手段】バッテリホルダ８０内の第１、第２の電池室１１０ａ、１１０ｂ内には、挿入検出レバー１１５、挿入防止シャッタ１２１を有するトランスファスイッチが設けられ、サーミスタを有する電池パックが装填可能である。第１の電池室１１０ａ内には、電池パックが挿入されると押圧を受けて電池パックの挿入を許容する挿入検出レバー１１５が突出されている。第２の電池室１１０ｂには、挿入検出レバー１１５が電池パックによる押圧を受けていないときに第２の電池室１１０ｂ内に突出して電池パックの挿入を防止し、上記押圧を受けているときは第２の電池室１１０ｂ内から退避して電池パックの挿入を許容する挿入防止シャッタ１２１が形成されている。【選択図】      図８
2007080617.tif 000002
【特許請求の範囲】
【請求項１】
電子機器の外部電源装置に於いて、
温度検出手段を有する複数の電池を別々に挿入するための複数の電池室と、
上記複数の電池室のうちの１つである所定の電池室内に突出し、該所定の電池室に電池が挿入されるとこの電池により押圧を受け、常に電池の挿入を許容する被押圧部と、該被押圧部が電池による押圧を受けていないときは、残りの他の電池室内に突出して、上記残りの他の電池室への電池の挿入を防止し、該被押圧部が電池による押圧を受けているときは、該被押圧部に連動して残りの他の電池室内から退避して、上記残りの他の電池室への電池の挿入を許容する連動突出部と、を有する電池挿入制御機構と、
上記所定の電池室内に設けられ、上記電池に設けられた温度検出手段と電気的導通を行う電池室内接点と、
上記電池室内接点と電気的に接続され、上記電池に設けられた上記温度検出手段からの出力を外部に接続するための外部接点と、
を具備することを特徴とする電子機器の外部電源装置。
【請求項２】
上記電子機器はカメラであることを特徴とする請求項１に記載の電子機器の外部電源装置。
【請求項３】
電子機器の外部電源装置に於いて、
温度検出手段を有する電池を装填可能な第１の電池室と、
電池を装填可能な第２の電池室と、
上記第１の電池室に電池が装填されると、この装填に連動する第１の連動部材と、
上記第１の電池室に電池が装填されていないとき、上記第２の電池室内に突出して、上記第２の電池室に電池が装填されることを禁止し、上記第１の電池室に電池が装填されているときは、上記第１の連動部材に連動して上記第２の電池室から退避して電池の装填を許容する第２の連動部材と、
上記第１の電池室内に設けられ、上記電池に設けられた温度検出手段と電気的導通を行う電池室内接点と、
上記電池室内接点と電気的に接続され、上記電池に設けられた温度検出手段からの出力を外部に接続するための外部接点と、
を具備することを特徴とする電子機器の外部電源装置。
【請求項４】
上記電子機器はカメラであることを特徴とする請求項３に記載の電子機器の外部電源装置。
【請求項５】
電子機器の外部電源装置に於いて、
温度検出手段を有する第１の電池を装填可能な第１の電池室と、
温度検出手段を有する第２の電池を装填可能な第２の電池室と、
上記第１の電池室に上記第１の電池が装填され互い中の装填状態を検知する検知部材と、
上記外部電源装置内に配置された温度検出手段と、
上記第１の電池室内に設けられ、上記第１の電池に設けられた温度検出手段と電気的導通を行う電池室内接点と、
上記第１の電池室の温度検出手段若しくは上記外部電源装置内に配置された温度検出手段からの出力を外部に接続するための外部接点と、
上記検知部材が上記第１の電池室に電池が装填されていることを検知すると上記第１の電池室の温度検出手段と外部接点との導通を行い、上記検知部材が、上記第１の電池室に電池が装填されていないことを検知すると、上記外部電源装置内に配置された温度検出手段からの出力を外部に接続する切り換え手段と、
を具備することを特徴とする電子機器の外部電源装置。
【請求項６】
上記電子機器はカメラであることを特徴とする請求項５に記載の電子機器の外部電源装置。
【請求項７】
上記切り換え手段は、トランスファスイッチであることを特徴とする請求項５に記載の電子機器の外部電源装置。
【請求項８】
電子機器に外部より電源供給を可能とする外部電源装置に於いて、
温度検出手段を有する第１の電池の装填が可能な第１の電池室と、
第２の電池の装填が可能な第２の電池室と、
上記第１の電池室内に突出し、該第１の電池室に電池が挿入されるとこの電池により押圧を受け、常に電池の挿入を許容する被押圧部と、該被押圧部が電池による押圧を受けていない際は、上記第２の電池室内に突出して該第２の電池室への電池の挿入を防止し、上記被押圧部が電池による押圧を受けている際は、該被押圧部に連動して上記第２の電池室内から退避して上記第２の電池室への電池の挿入を許容する連動突出部と、を備える電池挿入制御機構と、
上記第１の電池室内に設けられ、上記電池に設けられた温度検出手段と電気的導通を行う電池室内接点と、
上記電池室内接点と電気的に接続され、上記電池に設けられた上記温度検出手段からの出力を外部に接続するための外部接点と、
を具備することを特徴とする電子機器の外部電源装置。
【請求項９】
上記電子機器はカメラであることを特徴とする請求項８に記載の電子機器の外部電源装置。
【請求項１０】
電子機器の外部電源装置に於いて、
第１の温度検出手段を有する第１の電池を装填可能であり、第２の温度検出手段を有する第１の電池室と、
第２の電池を装填可能な第２の電池室と、
上記第１の電池室に第１の電池が装填されると、この装填に連動する第１の連動部材と、
上記第１の電池室に第１の電池が装填されていない場合に上記第２の電池室内に突出して、上記第２の電池室に第２の電池が装填されることを禁止し、上記第１の電池室に第１の電池が装填されている場合は上記第１の連動部材に連動して上記第２の電池室から退避して第２の電池の装填を許容する第２の連動部材と、
上記第１の電池室内に設けられるもので、上記第１の電池室に第１の電池が装填されている場合は上記第１の温度検出手段と電気的導通を行い、上記第１の電池室内に第１の電池が装填されていない場合は上記第２の温度検出手段と電気的導通を行う切り換え手段と、
上記切り換え手段と電気的に接続され、上記第１若しくは第２の温度検出手段からの出力を外部に接続するための外部接点と、
を具備することを特徴とする電子機器の外部電源装置。
【請求項１１】
上記電子機器はカメラであることを特徴とする請求項１０に記載の電子機器の外部電源装置。
【発明の詳細な説明】
【技術分野】
【０００１】
本発明は電子機器の外部電源装置に関し、より詳細には、カメラ等の電子機器に電源を供給するための複数のバッテリパックを内蔵した電子機器の外部電源装置の改良に関するものである。
【背景技術】
【０００２】
従来より、カメラ本体に装填されている電池の電圧をチェックして、その電池の残量を告知するカメラが一般に使用されている。
【０００３】
例えば、カメラの動作回路毎に消費電流値テーブルを備えておき、ダミーロードにより電池の内部抵抗を求め、内部抵抗値と消費電流から電圧値を算出し、電池の電圧と比較して残量警告を出力するチェック回路が知られている（例えば、特許文献１参照）。
【０００４】
このように、ダミーロードに所定電流を流して電池電流を予測する技術は周知である。
【特許文献１】特開２００３−３４４９２２号公報
【発明の開示】
【発明が解決しようとする課題】
【０００５】
ところで、近年、カメラ本体に着脱が自在で大容量の電池パックを内蔵する外部電源装置が開発されている。こうした外部電源装置は、複数個の電池パックを内蔵している。
【０００６】
一方、電池は化学反応を利用しているために、環境温度の影響を受けやすいものであった。こうした温度変化については、温度によって予測してテーブルを参照するという技術が公知である。
【０００７】
しかしながら、上述した特許文献１に記載のカメラでは、パラメータとして温度が存在していないものであった。そのため、温度変化が生じた場合、正確な電池残量の警告を行うことができないものであった。
【０００８】
また、複数個の電池パックを装填可能な外部電源装置の場合、電池室の数より少ない数の電池パックが装填された場合、どの電池室に電池パックが装填されたかを検知するには複雑な構成を必要として、故にコストが高くなるものであった。
【０００９】
したがって、本発明の目的は、複数個の電池パックを内蔵する外部電源装置であって、装填される電池パックを容易に特定することができると共に、正しく電池の温度を測定することのできる電子機器の外部電源装置を提供することである。
【課題を解決するための手段】
【００１０】
すなわち請求項１に記載の発明は、電子機器の外部電源装置に於いて、温度検出手段を有する複数の電池を別々に挿入するための複数の電池室と、上記複数の電池室のうちの１つである所定の電池室内に突出し、該所定の電池室に電池が挿入されるとこの電池により押圧を受け、常に電池の挿入を許容する被押圧部と、該被押圧部が電池による押圧を受けていないときは、残りの他の電池室内に突出して、上記残りの他の電池室への電池の挿入を防止し、該被押圧部が電池による押圧を受けているときは、該被押圧部に連動して残りの他の電池室内から退避して、上記残りの他の電池室への電池の挿入を許容する連動突出部と、を有する電池挿入制御機構と、上記所定の電池室内に設けられ、上記電池に設けられた温度検出手段と電気的導通を行う電池室内接点と、上記電池室内接点と電気的に接続され、上記電池に設けられた上記温度検出手段からの出力を外部に接続するための外部接点と、を具備することを特徴とする。
【００１１】
請求項２に記載の発明は、請求項１に記載の発明に於いて、上記電子機器はカメラであることを特徴とする。
【００１２】
請求項３に記載の発明は、電子機器の外部電源装置に於いて、温度検出手段を有する電池を装填可能な第１の電池室と、電池を装填可能な第２の電池室と、上記第１の電池室に電池が装填されると、この装填に連動する第１の連動部材と、上記第１の電池室に電池が装填されていないとき、上記第２の電池室内に突出して、上記第２の電池室に電池が装填されることを禁止し、上記第１の電池室に電池が装填されているときは、上記第１の連動部材に連動して上記第２の電池室から退避して電池の装填を許容する第２の連動部材と、上記第１の電池室内に設けられ、上記電池に設けられた温度検出手段と電気的導通を行う電池室内接点と、上記電池室内接点と電気的に接続され、上記電池に設けられた温度検出手段からの出力を外部に接続するための外部接点と、を具備することを特徴とする。
【００１３】
請求項４に記載の発明は、請求項３に記載の発明に於いて、上記電子機器はカメラであることを特徴とする。
【００１４】
請求項５に記載の発明は、電子機器の外部電源装置に於いて、温度検出手段を有する第１の電池を装填可能な第１の電池室と、温度検出手段を有する第２の電池を装填可能な第２の電池室と、上記第１の電池室に上記第１の電池が装填され互い中の装填状態を検知する検知部材と、上記外部電源装置内に配置された温度検出手段と、上記第１の電池室内に設けられ、上記第１の電池に設けられた温度検出手段と電気的導通を行う電池室内接点と、上記第１の電池室の温度検出手段若しくは上記外部電源装置内に配置された温度検出手段からの出力を外部に接続するための外部接点と、上記検知部材が上記第１の電池室に電池が装填されていることを検知すると上記第１の電池室の温度検出手段と外部接点との導通を行い、上記検知部材が、上記第１の電池室に電池が装填されていないことを検知すると、上記外部電源装置内に配置された温度検出手段からの出力を外部に接続する切り換え手段と、を具備することを特徴とする。
【００１５】
請求項６に記載の発明は、請求項５に記載の発明に於いて、上記電子機器はカメラであることを特徴とする。
【００１６】
請求項７に記載の発明は、請求項５に記載の発明に於いて、上記切り換え手段は、トランスファスイッチであることを特徴とする。
【００１７】
請求項８に記載の発明は、電子機器に外部より電源供給を可能とする外部電源装置に於いて、温度検出手段を有する第１の電池の装填が可能な第１の電池室と、第２の電池の装填が可能な第２の電池室と、上記第１の電池室内に突出し、該第１の電池室に電池が挿入されるとこの電池により押圧を受け、常に電池の挿入を許容する被押圧部と、該被押圧部が電池による押圧を受けていない際は、上記第２の電池室内に突出して該第２の電池室への電池の挿入を防止し、上記被押圧部が電池による押圧を受けている際は、該被押圧部に連動して上記第２の電池室内から退避して上記第２の電池室への電池の挿入を許容する連動突出部と、を備える電池挿入制御機構と、上記第１の電池室内に設けられ、上記電池に設けられた温度検出手段と電気的導通を行う電池室内接点と、上記電池室内接点と電気的に接続され、上記電池に設けられた上記温度検出手段からの出力を外部に接続するための外部接点と、を具備することを特徴とする。
【００１８】
請求項９に記載の発明は、請求項８に記載の発明に於いて、上記電子機器はカメラであることを特徴とする。
【００１９】
請求項１０に記載の発明は、電子機器の外部電源装置に於いて、第１の温度検出手段を有する第１の電池を装填可能であり、第２の温度検出手段を有する第１の電池室と、第２の電池を装填可能な第２の電池室と、上記第１の電池室に第１の電池が装填されると、この装填に連動する第１の連動部材と、上記第１の電池室に第１の電池が装填されていない場合に上記第２の電池室内に突出して、上記第２の電池室に第２の電池が装填されることを禁止し、上記第１の電池室に第１の電池が装填されている場合は上記第１の連動部材に連動して上記第２の電池室から退避して第２の電池の装填を許容する第２の連動部材と、上記第１の電池室内に設けられるもので、上記第１の電池室に第１の電池が装填されている場合は上記第１の温度検出手段と電気的導通を行い、上記第１の電池室内に第１の電池が装填されていない場合は上記第２の温度検出手段と電気的導通を行う切り換え手段と、上記切り換え手段と電気的に接続され、上記第１若しくは第２の温度検出手段からの出力を外部に接続するための外部接点と、を具備することを特徴とする。
【００２０】
請求項１１に記載の発明は、請求項１０に記載の発明に於いて、上記電子機器はカメラであることを特徴とする。
【発明の効果】
【００２１】
本発明によれば、装填される電池パックを容易に特定することができると共に、正しく電池の温度を測定することのできる電子機器の外部電源装置を提供することができる。
【００２２】
複数個の電池パックを内蔵する外部電源装置であっても、装填される電池パックの状態に関わらず正しく電池の温度を測定することのできる外部電源装置を提供することができる。
【発明を実施するための最良の形態】
【００２３】
以下、図面を参照して、本発明の実施形態を説明する。
【００２４】
（第１の実施形態）
図１は本発明の第１の実施形態による一眼レフレックスタイプのデジタルカメラの構成を示すもので、後方より見た外観斜視図である。
【００２５】
図１に於いて、この一眼レフレックスタイプのデジタルカメラ（以下、カメラと略記する）１は、交換レンズとしてのレンズ鏡筒１０と、カメラ本体２０から主に構成されており、該カメラ本体２０の前面に対して、所望のレンズ鏡筒１０が着脱自在に設定されている。  
カメラ本体２０の上面には、レリーズ釦２１と、モードダイヤル２２と、パワースイッチレバー２３と、コントロールダイヤル２４等が設けられている。
【００２６】
レリーズ釦２１は、撮影準備動作及び露光動作を実行させるための釦である。このレリーズ釦２１は、第１レリーズスイッチと第２レリーズスイッチの２段式のスイッチで構成されており、レリーズ釦２１が半押し操作されることによって、第１レリーズスイッチがオンされて測光処理や測距処理などの撮影準備動作が実行される。また、レリーズ釦２１が全押し操作されることによって、第２レリーズスイッチがオンされて露光動作が実行される。
【００２７】
モードダイヤル２２は、撮影時の撮影モードを設定するための操作部材である。このモードダイヤル２２が所定方向に回転操作されることによって、撮影時の撮影モードが設定される。パワースイッチレバー２３は、当該カメラ１の電源のオン／オフをするための操作部材である。このパワースイッチレバー２３が回動操作されることにより、当該カメラ１のメイン電源のオン／オフが切り換えられる。
【００２８】
コントロールダイヤル２４は、撮影情報の設定を行うための部材である。このコントロールダイヤル２４が操作されることにより、撮影時に種々の設定が行われる。
【００２９】
ボディユニット２０の背面部には、撮影画像やメニュー等を表示するための表示手段としての液晶モニタ２６と、再生釦２７と、メニュー釦２８と、十字キー３０と、ＯＫ釦３１と、接眼光学系のファインダ３３等が配置されている。
【００３０】
上記再生釦２７は、カメラ１の動作モードを、後述するＦｌａｓｈＲＯＭ６２や記録メディア６３に記録されたＪＰＥＧファイルから画像を再生できる再生モードに切り換えるための釦である。メニュー釦２８は、液晶モニタ２６にメニュー画面を表示させるための釦である。このメニュー画面は、複数の階層構造から成るメニュー項目によって構成されている。ユーザは、所望のメニュー項目を十字キー３０で選択することができ、ＯＫ釦３１で選択した項目を決定することができる。
【００３１】
図２は、本発明の第１の実施形態に係るカメラのシステム構成を示すブロック図である。
【００３２】
図２に於いて、上記レンズ鏡筒１０は、上記カメラ本体２０の前面に設けられた、図示されないレンズマウントを介して着脱自在に装着可能である。そして、上記レンズ鏡筒１０は、撮影レンズを有する撮影光学系１１と、絞り１２と、レンズ駆動機構１３と、絞り駆動機構１４と、レンズ制御用マイクロコンピュータ（以下、Ｌμｃｏｍと略記する）１５とから構成されている。
【００３３】
上記撮影光学系１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズ鏡筒１０内の各部を駆動制御する。このＬμｃｏｍ１５は、通信コネクタ３５を介して、後述するボディ制御用マイクロコンピュータ６５と電気的に接続がなされ、該ボディ制御用マイクロコンピュータ６５の指令に従って制御される。
【００３４】
一方、カメラ本体２０は、以下のように構成されている。
【００３５】
レンズ鏡筒１０内の撮影光学系１１、絞り１２を介して入射される図示されない被写体からの光束は、可動ミラーである反射鏡４０で反射され、図示されないフォーカシングスクリーン、ファインダ光学系４１等を介して、接眼レンズ４２に至る。また、上記反射鏡４０内のハーフミラーの部分を透過した被写体光束の一部は、該反射鏡４０とは独立して作動するサブミラー４７で反射されて、自動測距を行うためのＡＦセンサユニット４８に導かれる。
【００３６】
光軸上で上記反射鏡４０の後方には、フォーカルプレーン式のシャッタ５０と、光学系を通過した被写体像を光電変換するための撮像光学系の光電変換素子であり、ＣＣＤ等で構成される撮影用撮像素子５１が設けられている。つまり、反射鏡４０が撮影光路より退避した場合、撮影光学系１１及び絞り１２を通った光束は、撮影用撮像素子５１の撮像面上に結像される。
【００３７】
また、上記ファインダ光学系４１の近傍には、スルー画を表示するための表示用撮像素子４３と、測光センサを含む測光回路４４が配設されている。上記表示用撮像素子４３と上記撮影用撮像素子５１は、インターフェイス回路５９を介して、画像処理を行うための画像処理コントローラ６０に接続されている。そして、この画像処理コントローラ６０には、上述した液晶モニタ２６と、記憶領域として設けられたＳＤＲＡＭ６１、ＦｌａｓｈＲＯＭ６２及び記録メディア６３等が接続されている。これらは、電子撮像機能と共に電子記録表示機能を提供できるように構成されている。
【００３８】
上記インターフェイス回路５９は、ボディ制御用マイクロコンピュータ６５にも接続されている。このインターフェイス回路５９からは、表示用撮像素子４３と撮影用撮像素子５１から入力された撮像のタイミングを示す信号が、ボディ制御用マイクロコンピュータ６５に供給される。
【００３９】
上記記録メディア６３は、図示されないカメラのインターフェイスを介してカメラ本体２０に対し脱着可能な各種のメモリカードや外付けのハードディスクドライブ（ＨＤＤ）等の外部記録媒体である。
【００４０】
上記画像処理コントローラ６０は、測光回路４４と、ＡＦセンサ駆動回路５３と、ミラー駆動機構５４と、シャッタチャージ機構５５と、シャッタ制御回路５６と、不揮発性メモリ（ＥＥＰＲＯＭ）６７と共に、このカメラ本体２０内の各部を制御するための制御手段であるボディ制御用マイクロコンピュータ（以下、Ｂμｃｏｍと略記する）６５に接続されている。
【００４１】
上記Ｂμｃｏｍ６５には、また、当該カメラの動作状態を表示出力によって撮影者へ告知するための動作表示用ＬＣＤ６８と、カメラ操作スイッチ（ＳＷ）６９と、電源回路７０が接続されている。更に、Ｂμｃｏｍ６５及び電源回路７０には外部接点である接点群７５を介して、後述するバッテリホルダ８０が接続される。
【００４２】
尚、上記Ｂμｃｏｍ６５とＬμｃｏｍ１５とは、レンズ鏡筒１０の装着時に於いて、通信コネクタ３５を介して通信可能に電気的接続がなされる。そして、デジタルカメラとして、Ｌμｃｏｍ１５がＢμｃｏｍ６５に従属的に協働しながら稼動するようになっている。
【００４３】
上記測光回路４４は、図示されない測光センサの電気信号に基づいて測光処理する回路である。上記ＡＦセンサ駆動回路５３は上記ＡＦセンサユニット４８を駆動制御するための回路であり、ミラー駆動機構５４は反射鏡４０を回動自在に駆動制御する機構である。また、シャッタチャージ機構５５は、上記シャッタ５０を構成する図示されない先幕と後幕を駆動するばねをチャージするものである。シャッタ制御回路５６は、上記シャッタ５０の先幕と後幕の動きを制御すると共に、Ｂμｃｏｍ６５との間でシャッタの開閉動作を制御する信号の授受を行う。
【００４４】
不揮発性メモリ６７は、上述したＳＤＲＡＭ６１、ＦｌａｓｈＲＯＭ６２、記録メディア６３以外の記憶領域として、カメラ制御に必要な所定の制御パラメータを記憶するものであり、Ｂμｃｏｍ６５からアクセス可能に設けられている。
【００４５】
動作表示用ＬＣＤ６８は、当該カメラの動作状態を表示出力によってユーザへ告知するためのものである。上記カメラ操作スイッチ６９は、例えば撮影動作の実行を指示すると共に後述するように反射鏡４０を撮影光路の内外に切り換えるレリーズスイッチ、撮影モードと画像表示モードを切り換えるモード変更スイッチ及びパワースイッチ、等、当該カメラを操作するために必要な操作釦を含むスイッチ群で構成される。更に、電源回路７０は、電源として後述するバッテリホルダ８０内に装填された電池の電圧を、当該カメラシステムの各回路ユニットが必要とする電圧に変換して供給するために設けられている。
【００４６】
上記バッテリホルダ８０は、複数個の電池パックを装填することが可能であるが、本実施形態に於いては、第１の電池としての電池パック１（以下、電池パック（１）と記す）９０ａと、第２の電池としての電池パック２（以下、電池パック（２）と記す）９０ｂの２つが装填可能なものとする。
【００４７】
バッテリホルダ８０内は、カメラ本体２０との接点群７５と、電池パック（１）９０ａ、電池パック（２）９０ｂとの接点群（電池室内接点）８２ａ、８２ｂとの間に、第１レリーズスイッチ（１ＲＳＷ）８５、第２レリーズスイッチ（２ＲＳＷ）８６、ロックスイッチ（ＳＷ）８７と、逆流防止用のダイオードＤ１及びＤ２が、図示の如く接続されている。
【００４８】
第１レリーズスイッチ８５及び第２レリーズスイッチ８６は、図８に示されるように、バッテリホルダ８０に設けられたレリーズ釦１２１に対応するもので、上述したカメラ本体２０のレリーズ釦２１の機能と同じである。また、ロックスイッチ８７は、図８に示されるロックレバーに対応したスイッチであり、バッテリホルダ８０がカメラ本体２０に装填された後にロックレバー１２０が操作されることにより、バッテリホルダ８０がカメラ本体２０から外れないようにロックされる。このとき、ロックスイッチ８７がオン状態となる。
【００４９】
電池パック（１）９０ａ及び（２）９０ｂは、それぞれ接点群８２ａ及び８２ｂを介してバッテリホルダ８０内の回路と電気的に接続される。また、それぞれ直列接続された電池セル９１ａ及び９２ｂと、温度検出手段であるサーミスタ（第１の温度検出手段）９２ａ及び９２ｂとを有して構成される。
【００５０】
図３は、上述した電池パックの外観斜視図である。
【００５１】
尚、図３に於いては電池パック９０として示しているが、図２に於ける電池パック（１）９０ａ、電池パック（２）９０ｂとは同じ構成であり、ここでは代表的に電池パック９０として説明する。
【００５２】
電池パック９０は、内部に電池セルとサーミスタを有し、その外部はケース９５によって密閉されている。そして、ケース９５の所定箇所に上述した接点群８２ａまたは８２ｂと対応する接続端子９６〜９８が設けられている。このうち、接続端子９６は陽極（＋）端子であり、接続端子９７はサーミスタ（Ｔ）用の端子であり、接続端子９８は負極（−）端子である。
【００５３】
図４は、電池パック内の電池の放電特性を示した図である。
【００５４】
図４に示されるように、この電池は、電圧値が略８Ｖから徐々に放電されて減少し、所定の判定スレッシュ値にてカメラの駆動に必要な電圧値を下回るため、充電を必要とする。この場合、上記判定スレッシュ値は、例えば０℃の場合は６．６Ｖ、２０℃の場合は６．８Ｖ、４５℃の場合は７．０Ｖとなっている。
【００５５】
図５は、本発明の第１の実施形態に係るカメラのバッテリホルダ８０の構成を示した外観斜視図であり、図６は、図５のバッテリホルダに電池パックが装着される様子を示した外観斜視図である。
【００５６】
カメラ本体２０のグリップ部内に有する電池室（図示せず）内には、通常、カメラの電源としての電池が装填されている。そして、バッテリホルダ８０を使用する際は、この電池室内の電池に代えてバッテリホルダ８０の接点支柱１００が挿入される。
【００５７】
バッテリアダプタ８０は、上述したカメラ本体２０の図示されない電池室に挿入される部分として、該電池室に対応して接点支柱１００が設けられている。そして、この接点支柱１００の所定箇所、すなわち上記電池室内に設けられた図示されない電気接点と電気的に接触する箇所には、対応する接続端子１０１〜１０３が形成されている。このうち、接続端子１０１は陽極（＋）端子であり、接続端子１０２はサーミスタ（Ｔ）用の端子であり、接続端子１０３は負極（−）端子である。カメラ本体２０内の上記接続端子と接点支柱の接続端子１０１〜１０３により、上述した接点群７５が構成される。
【００５８】
また、上記接点支柱１００には、上記接続端子１０１〜１０３に隣接して、もう一方の上記接点群７５を構成するものとして、信号線１１１〜１１３が設けられている。これらは第１レリーズスイッチ用の信号線１１１、第２レリーズスイッチ用の信号線１１２及び起動信号線１１３で構成される。
【００５９】
バッテリホルダ８０は、また、カメラ本体２０の底面部と相対する面で、三脚ネジ（図示せず）と相対する位置に、三脚ネジ１０５が形成されている。この三脚ネジ１０５は、カメラ本体２０側の三脚ネジと螺合する雄ネジで構成されている。
【００６０】
尚、上記接点支柱１００の水平方向の断面形状は、カメラ本体２０の電池室（図示せず）の水平方向の断面形状に相似してやや小さい。また、三脚ネジ１０５は、バッテリホルダ８０の上面部の三脚ネジ用の穴とは遊嵌している状態である。
【００６１】
また、バッテリホルダ８０の前面部には、三脚ネジ１０５をカメラ本体２０の三脚ネジ（図示せず）と螺合させるための三脚ネジダイアル１０６が設けられている。この三脚ネジダイアル１０６を所定方向に回転させることにより、三脚ネジ１０５とカメラ本体２０の図示されない三脚ネジの螺合状態が調節されて、バッテリホルダ８０とカメラ本体２０との装着、取り外しがなされるようになっている。
【００６２】
更に、バッテリホルダ８０に於いて、三脚ネジダイアル１０６の下方には、複数個の電池パック９０、本実施形態では２つの電池パックを装填可能にした第１及び第２の電池室１１０ａ及び１１０ｂが形成されている。これら第１及び第２の電池室１１０ａ及び１１０ｂには、開閉自在なカバー１０７が設けられている。このカバー１０７は、ロックレバー１０８の操作によって開閉が可能になる。電池パック９０を装填する際には、カバー１０７を開けて、図６の矢印Ａ方向に電池パック９０を挿入した後、カバー１０７を閉じ、ロックレバー１０８を操作する。これによって、カバー１０７が固定されて電池パック９０の脱落を防止している。
【００６３】
また、バッテリホルダ８０の側面部には、図示されないリモコンスイッチ接続用の接続端子を覆うためのコネクタキャップ１０９を有している。
【００６４】
上記第１及び第２の電池室１１０ａ及び１１０ｂ内には、また、該第１及び第２の電池室１１０ａ及び１１０ｂ内に装填される電池パック９０の挿入状態を検出するための、図７に示されるようなトランスファスイッチ（電池挿入制御機構）１１４が設けられている。
【００６５】
このトランスファスイッチ１１４は、第１の電池室１１０ａ側に設けられた第１の連動部材である第１の部材１１４ａと、第２の電池室１１０ｂ側に設けられた第２の連動部材である第２の部材１１４ｂとにより構成される。第１の部材１１４ａは、第１の電池室１１０ａ内に突出する、被押圧部としての切片状の挿入検出レバー１１５と係合片１１８が、軸部１１６に回動可能に取り付けられた構成となっている。そして、この軸部１１６にはバネ１１７が巻回されており、第１の部材１１４ａはこのバネ１１７が開く方向に付勢されている。
【００６６】
一方、第２の部材１１４ｂは、係合片１１８の先端部と当接する係合片１１９と、第２の電池室１１０ｂ内に突出して電池パック９０の挿入を許容する連動突出部である挿入防止シャッタ１２１とが、軸部１２０を中心に回動可能に構成されている。また、係合片１１９と軸部１２０との間には、他端がバッテリホルダ８０内の固定部（図示せず）に取付けられたバネ１２２の一端が取り付けられている。したがって、第２の部材１１４ｂは、通常、係合片１１９が第１の部材の係合片１１８を下方に押し下げるように付勢されている。
【００６７】
そして、このような構成のトランスファスイッチ１１４は、図８に示されるように、バッテリホルダ８０内の電池パックの挿入口近傍に組み込まれている。そして、例えば、第１の電池室１１０ａの底面部に、第１の部材１１４ａの挿入検出レバー１１５が突出するための開口部１２３が形成されている。同様に、第２の電池室１１０ｂの底面部には、第２の部材１１４ｂの挿入防止シャッタ１２１が突出するための開口部１２４が形成されている。
【００６８】
バッテリホルダ８０内の何れの電池室の何れにも電池パックが装填されていない場合は、第１の電池室１１０ａ内に挿入検出レバー１１５が、そして第２の電池室１１０ｂ内に挿入防止シャッタ１２１が、それぞれ突出されている。
【００６９】
いま、図６に示されるように、電池パック９０が矢印Ａ方向に挿入されると、電池パック９０の外壁（ケース９５）面が挿入検出レバー１１５に当接する。そして、電池パック９０が第１の電池室１１０ａ内に押し込まれることにより、該挿入検出レバー１１５が図７の矢印Ｂ方向に回転する。この回転に伴い、軸部１１６を中心にして係合片１１８が図示矢印Ｃ方向に回転する。すると、この係合片１１８の回転運動に連動して、係合片１１９もバネ１２２の付勢とは反対方向に回転し、更に軸部１２０を中心に挿入防止シャッタ１２１が図示矢印Ｄ方向に回転する。これにより、挿入防止シャッタ１２１は、第２の電池室１１０ｂ内の開口部１２４より退避される。つまり、第２の電池室１１０ｂ内への電池パック９０の挿入が可能な状態となる。
【００７０】
一方、第１の電池室１１０ａに電池パック９０が挿入されない状態では、挿入検出レバー１１５は第１の電池室１１０ａ内に露出されている。この状態では、第２の部材１１４ｂの係合片１１９はバネ１２２によって付勢されているので、挿入防止シャッタ１２１は、第２の電池室１１０ｂ内に露出されたままである。したがって、第２の電池室１１０ｂ内に電池パック９０を装填しようとしても、挿入防止シャッタ１２１が第２の電池室１１０ｂ内に突出しているため、該電池パック９０の挿入を防止するようになっている。
【００７１】
図９及び図１０は、カメラ本体２０にバッテリホルダ８０が装着される際の状態を示す外観図であって、図９はカメラ正面側下方より見た斜視図、図１０はカメラの背面側から見た図である。
【００７２】
上述したように、カメラ本体２０内の電池室にバッテリホルダ８０の接点支柱１００が挿入され、三脚ネジダイアル１０６が、図１０に於いて矢印Ｅ方向に回転されることにより、三脚ネジ１０５とカメラ本体２０の図示されない三脚ネジが螺着されて、バッテリホルダ８０がカメラ本体２０に装着される。そして、バッテリホルダ８０の下面に設けられたロックレバーが操作されることにより、バッテリホルダ８０がカメラ本体２０から外れないようにロックされる。
【００７３】
尚、上述したカメラ本体２０及びバッテリホルダ８０は、モールドまたはプラスチック等により構成されている。
【００７４】
図１１は、電池パックの温度検出を説明するための概略的な電気回路図である。
【００７５】
カメラ本体２０に於いて、Ｂμｃｏｍ６５のＡＤポート１は、抵抗Ｒ１１を介して電源回路７０に接続されると共に、接点群７５のサーミスタ用接点７５2 に接続されている。一方、Ｂμｃｏｍ６５のＡＤポート２は、分圧抵抗Ｒ１２を介して上記電源回路７０と接点群７５の正極用接点７５1 に接続されると共に、分圧抵抗Ｒ１３を介してグラウンドに接続される。また、電源回路７０及び接点群７５のうちの第１レリーズスイッチ用の信号線１１１、第２レリーズスイッチ用の信号線１１２及び起動信号線１１３に対応した接点７５4 、７５5 及び７５6 が、それぞれＢμｃｏｍ６５と接続されている。
【００７６】
バッテリホルダ８０内は、カメラ本体２０の上記接点７５1 と電池パック（１）９０ａの正極用接点８２ａ1 との間にダイオードＤ１が接続されている。また、カメラ本体２０の上記接点７５2 と電池パック（１）９０ａのサーミスタ用接点８２ａ2 との間には、トランスファスイッチ（ＳＷ）８３が接続されている。そして、カメラ本体２０の負極用接点７５3 は、電池パック（１）９０ａの負極用接点８２ａ3 と接続されている。同様に、上記接点７５1 と電池パック（２）９０ｂの正極用接点８２ｂ1 との間にはダイオードＤ２が接続され、上記接点７５2 と電池パック（２）９０ｂのサーミスタ用接点８２ｂ2 との間にはトランスファスイッチ（ＳＷ）８３が、それぞれ接続されている。そして、上記負極用接点７５3 と電池パック（２）９０ｂの負極用接点８２ｂ3 とが接続されている。
【００７７】
更に、上記接点７５4 には第１レリーズスイッチ（１ＲＳＷ）８５を介して、上記接点７５5 には第２レリーズスイッチ（２ＲＳＷ）８６を介して、それぞれロックスイッチ（ＳＷ）８７が接続され、更に電池パック（１）９０ａの負極用接点８２ａ3 及び電池パック（２）９０ｂの負極用接点８２ｂ3 と接続されている。
【００７８】
また、電池パック（１）９０ａに於いては、上記接点８２ａ1 と接点８２ａ3 との間に、スイッチング素子１２７ａと電池セル９１ａの直列回路が接続され、上記接点８２ａ2 と接点８２ａ3 との間にはサーミスタ９２ａが接続されている。そして、制御回路１２８ａが、スイッチング素子１２７ａの動作を制御するようにして接続されている。同様に、電池パック（２）９０ｂに於いては、上記接点８２ｂ1 と接点８２ｂ3 との間に、スイッチング素子１２７ｂと電池セル９１ｂの直列回路が接続され、上記接点８２ｂ2 と接点８２ｂ3 との間にはサーミスタ９２ｂが接続されている。そして、制御回路１２８ｂが、スイッチング素子１２７ｂの動作を制御するようにして接続されている。
【００７９】
次に、図１２のフローチャートを参照して、第１の実施形態に於けるカメラの基本的な動作について説明する。
【００８０】
カメラ本体２０に装着されたバッテリホルダ８０に電池パックが装填されると、カメラが起動されて、先ずステップＳ１にてＢμｃｏｍ６５による初期設定が行われる。次いで、ステップＳ２にて、装填されている電池パック内のサーミスタの抵抗値がＡ／Ｄ変換される。サーミスタの抵抗値は、プルアップ抵抗Ｒ１１とサーミスタの抵抗値とから、Ｂμｃｏｍ６５内で算出される。
【００８１】
例えば、抵抗Ｒ１１を１０ｋΩとした場合、下記表１より、温度が２５℃の場合の抵抗値が１０ｋΩのサーミスタに於いて、１００℃の場合のサーミスタの抵抗値は０．９７ｋΩであり、６０℃の場合の抵抗値は３．０２ｋΩ、０℃の場合の抵抗値は２７．２８ｋΩ、−２０℃の場合の抵抗値は６７．７７ｋΩである。そして、これらのサーミスタの抵抗値のＡ／Ｄ変換値は、３．３Ｖを入力した場合に２５５になるとすると、１００℃で２２、６０℃で５９、２５℃で１２７、０℃で１８６、−２０℃で２２２となる。これらのＡ／Ｄ変換値が用いられて、ステップＳ３及びＳ５にて、サーミスタの判定が行われる。
【表１】
2007080617.tif 000003
【００８２】
すなわち、ステップＳ３に於いて、上記ステップＳ２で得られたサーミスタのＡ／Ｄ変換値が“２２２”より小さいか否かが判定される。ここで、Ａ／Ｄ変換値が“２２２”を超える値であれば温度が−２０℃より低い低温状態、若しくは接触不良が考えられる。したがって、ステップＳ４に移行して、今回得られたＡ／Ｄ変換値のデータは使用せずに、前回得た温度データが記憶され、その後ステップＳ８に移行する。一方、上記ステップＳ３にてＡ／Ｄ変換値が“２２２”以下であると判定された場合は、次にステップＳ５に於いて、Ａ／Ｄ変換値が“１８６”以下であるか否か、或いはＡ／Ｄ変換値が“５９”以上であるか否かが判定される。その結果、Ａ／Ｄ変換値が“５９“より小さければ、６０℃以上の高温であるので、ステップＳ６へ移行して電池異常の表示がなされる。その後、動作が停止される。
【００８３】
上記ステップＳ５に於いて、Ａ／Ｄ変換値が“５９”〜“１８６”の間、すなわち０〜６０℃の間であれば、ステップＳ７へ移行して、当該Ａ／Ｄ値から温度が算出される。そして、ステップＳ８にて、算出された温度から、該温度に応じた判定スレッシュ、すなわち最低駆動電圧が演算される。次いで、ステップＳ９にて、Ｂμｃｏｍ６５のポートから電池電圧がＡ／Ｄ変換される。
【００８４】
そして、ステップＳ１０に於いて、上記ステップＳ８で得られた判定スレッシュと上記ステップＳ９で得られた電池電圧とが比較される。その結果、電池電圧が判定スレッシュを下回っている場合は、ステップＳ１１に移行して、装填されている電池の電圧値が下がっているので使用できない（弱っている）旨の警告表示が、液晶モニタ２６等になされる。その後、動作が停止される。
【００８５】
一方、上記ステップＳ１０にて、電池電圧が判定スレッシュよりも高い場合は、充電動作が可能であるので、ステップＳ１２に移行してレリーズ釦２１の状態が検出される。ここで、レリーズ釦２１が操作されない（レリーズ釦がオフ）状態の場合は、上記ステップＳ２へ移行して、上述した処理動作が繰り返される。一方、レリーズ釦２１が操作された（オンされた）場合は、ステップＳ１３へ移行して撮影動作が行われる。その後、上記ステップＳ２へ移行する。
【００８６】
このように、第１の実施形態によれば、第１の電池室に電池パックを装填していない状態では第２の電池室に電池パックを装填することができないので、バッテリホルダに装填された電池パックを容易に特定することができると共に、正しく電池の温度を測定することができる。
【００８７】
（第２の実施形態）
次に、本願発明の第２の実施形態について説明する。
【００８８】
上述した第１の実施形態では、第１の電池室に電池パックが装填されている場合にのみ電池パック内の温度を測定していたが、本第２の実施形態では第１の電池室に装填されていた電池パックが抜かれた場合の温度の測定例について説明する。
【００８９】
以下、この第２の実施形態について説明するが、カメラの基本的な構成については、図１乃至図１２に示される第１の実施形態と同じであり、基本的な撮影動作についても同様である。したがって、これらの構成及び動作については、同一の部分には同一の参照番号を付して、その図示及び説明は省略するものとし、異なる部分の構成及び動作についてのみ説明する。
【００９０】
図１３は本発明の第２の実施形態に於けるトランスファスイッチ１３２の構成を示した図であり、図１４は図１３の構成のトランスファスイッチ１３２が組み込まれたバッテリホルダ８０の例を示した図である。また、図１５は、第２の実施形態に於ける電池パックの温度検出を説明するための概略的な電気回路図である。
【００９１】
図１３に於いて、第１の部材１１４ａの係合片１１８の下方に、切り換え手段としてのスイッチ（ＳＷ）１３３が設けられている。このスイッチ１３３は、押下された状態でオンとなるスイッチである。図１４に示されるように、第１の電池室１１０ａに電池パックが装填されていない状態では、第１の部材１１４ａはバネ１１７の付勢力によって係合片１１８がスイッチ１３３を押圧するため、このスイッチ１３３はオン状態となる。この場合、図１５に示されるように、バッテリホルダ８０′内に設けられたサーミスタ８８が使用されて温度測定がなされるようになっている。
【００９２】
但し、最初から第１の電池室１１０ａに電池パックが装填されていない場合は、上述したように、挿入防止シャッタ１２１によって、第２の電池室１１０ｂへの電池パックの挿入が防止される。つまり、第１の電池室１１０ａにのみ電池パックが装填されている状態とは、第１及び第２の電池室１１０ａ及び１１０ｂの両方に電池パックが装填されている状態から、第１の電池室１１０ａ内の電池パックのみを取り外した状態である。
【００９３】
このとき、第１の電池室１１０の電池パック（１）９０ａ内のサーミスタ９２ａが測定されていた状態から、電池パック（１）９０ａが取り外されることによりスイッチ１３３がオンされる。すると、スイッチ１３３の接続先が電池パック（１）９０ａのサーミスタ９２ａからバッテリホルダ８０′内のサーミスタ８８に切り替わり、該サーミスタ８８の温度が測定されるようになる。
【００９４】
次に、図１６のフローチャートを参照して、第２の実施形態に於けるカメラの基本的な動作について説明する。
【００９５】
カメラ本体２０に装着されたバッテリホルダ８０′に電池パックが装填されると、カメラが起動されて、先ずステップＳ２１にてＢμｃｏｍ６５による初期設定が行われる。次いで、ステップＳ２２にて、装填されている電池パック内のサーミスタの抵抗値がＡ／Ｄ変換される。サーミスタの抵抗値とそのＡ／Ｄ変換値については上述した通りであるので説明は省略する。
【００９６】
そして、ステップＳ２３に於いて、上記ステップＳ２２で得られたサーミスタのＡ／Ｄ変換値が“１８６”以下であるか否か、或いはＡ／Ｄ変換値が“５９”以上であるか否かが判定される。その結果、Ａ／Ｄ変換値が“１８６”を超えるか“５９“より小さければ０℃未満、若しくは６０℃以上であるので、ステップＳ２４へ移行して電池異常の表示がなされた後、動作が停止される。
【００９７】
上記ステップＳ２３に於いて、Ａ／Ｄ変換値が“５９”〜“１８６”の間、すなわち０〜６０℃の間であれば、ステップＳ２５へ移行して、当該Ａ／Ｄ値から温度が算出される。そして、ステップＳ２６にて、算出された温度から、該温度に応じた判定スレッシュ、すなわち最低駆動電圧が演算される。次いで、ステップＳ２７にて、Ｂμｃｏｍ６５のポートから電池電圧がＡ／Ｄ変換される。
【００９８】
そして、ステップＳ２８に於いて、上記ステップＳ２６で得られた判定スレッシュと上記ステップＳ２７で得られた電池電圧とが比較される。その結果、電池電圧が判定スレッシュを下回っている場合は、ステップＳ２９に移行して、装填されている電池の電圧値が下がっているので使用できない（弱っている）旨の警告表示が、液晶モニタ２６等になされる。その後、動作が停止される。
【００９９】
一方、上記ステップＳ２８にて、電池電圧が判定スレッシュよりも高い場合は、充電動作が可能であるので、ステップＳ３０に移行してレリーズ釦２１の状態が検出される。ここで、レリーズ釦２１が操作されない（レリーズ釦がオフ）状態の場合は、上記ステップＳ２２へ移行して、上述した処理動作が繰り返される。一方、レリーズ釦２１が操作された（オンされた）場合は、ステップＳ３１へ移行して撮影動作が行われる。その後、上記ステップＳ２２へ移行する。
【０１００】
このように、第２の実施形態によれば、第１及び第２の電池室１１０ａ及び１１０ｂの両方に電池パックが装填されている状態から、第１の電池室１１０ａ内の電池パックのみを取り外された場合は、第１の電池室１１０ａに近いバッテリホルダ内のサーミスタの温度を測定するので、電池の温度に近い温度を測定することができる。
【０１０１】
（第３の実施形態）
次に、本願発明の第３の実施形態について説明する。
【０１０２】
上述した第２の実施形態では、第１の電池室に装填される電池パックの有無に応じたサーミスタの切り替えを機械的スイッチによって行っていたが、この第３の実施形態では、マイクロコンピュータを利用して切り替えるようにしている。
【０１０３】
以下、この第３の実施形態について説明するが、カメラの基本的な構成については、図１乃至図１６に示される第１及び第２の実施形態と同じであり、基本的な撮影動作についても同様である。したがって、これらの構成及び動作については、同一の部分には同一の参照番号を付して、その図示及び説明は省略するものとし、異なる部分の構成及び動作についてのみ説明する。
【０１０４】
図１７は、本発明の第３の実施形態を示すもので、電池パックの温度検出を説明するための概略的な電気回路図である。
【０１０５】
バッテリホルダ８０″内には、電池室１１０ａ、１１０ｂの何れに電池パックが装填されているかを検出するためのマイクロコンピュータ（以下、マイコンと略記する）１３７を有している。このマイコン１３７には、リセットＩＣ１３８と、電源スイッチ１３７と、スイッチ１３３と、スイッチ素子１４１、１４２が接続されている。上記スイッチ素子１４１はカメラ本体２０の上記接点７５2 と電池パック（１）９０ａのサーミスタ用接点８２ａ2 との間に接続され、スイッチ素子１４２は上記接点７５2 とサーミスタ８８の一端との間に接続されるもので、それぞれマイコン１３７によってオン、オフが制御される。また、サーミスタ８８の他端は、接点８２ａ3 及び８２ｂ3 に接続されている。
【０１０６】
次に、図１８のタイミングチャートを参照して、本発明の第３の実施形態によるカメラの電池室に装填された電池パックの認識について説明する。尚、始めに第１の電池室１１０ａ及び第２の電池室１１０ｂに電池パックが装填されているものとする。
【０１０７】
電源スイッチ１３９がオンされるとカメラが起動され、電源電圧ＶＥが所定電圧に達したならばリセットＩＣ１３８が起動する。これによって、マイクロコンピュータ１３７が起動され、Ｂμｃｏｍ６５による初期設定が行われる。次いで、マイコン１３７のポートＰ１がオンされ、スイッチ素子１４１がオンになることにより、マイコン１３７にて第１の電池室１１０ａの電池パック（１）９０ａ内のサーミスタ９２ａが認識され、これにより該サーミスタ９２ａの温度が測定される。
【０１０８】
そして、あるタイミングで第１の電池室１１０から電池パック（１）９０ａが取り外されると、スイッチ１３３がオンされる。すると、マイコン１３７のポートＰ２がオンになると共にポートＰ１がオフになる。これにより、スイッチ素子１４２がオンになると共にスイッチ素子１４１がオフになる。したがって、マイコン１３７ではバッテリホルダ８０″内のサーミスタ８８が認識されて、該サーミスタ８８の温度が測定される。
【０１０９】
更に所定時間が経過して、再度電池パック（１）９０ａが第１電池室１１０ａに装填されると、スイッチ１３３がオンからオフに切り替わり、これを受けてマイコン１３７のポートＰ１がオンになると共にポートＰ２がオフになる。これにより、スイッチ素子１４１がオン、スイッチ素子１４２がオフとなって、バッテリパック８０″内のサーミスタ８８から電池パック（１）９０ａのサーミスタ９２ａに、マイコン１３５の認識が切り替わる。つまり、サーミスタ９２ａの温度が測定される。
【０１１０】
このように、第３の実施形態によれば、サーミスタをマイコンが認識するので、装填された電池パックの状態に応じて正しく電池の温度を測定することができる。
【０１１１】
尚、上述した第１乃至第３の実施形態に於いて、バッテリホルダ内の電池室に装填される電池パックは同じ構成として説明したが、これに限られるものではなく、サーミスタを検出可能であれば、例えば形状が異なる等、同じ構成のものでなくとも良い。
【０１１２】
以上、本発明の実施形態について説明したが、本発明は上述した実施形態以外にも、本発明の要旨を逸脱しない範囲で種々の変形実施が可能である。
【図面の簡単な説明】
【０１１３】
【図１】本発明の第１の実施形態による一眼レフレックスタイプのデジタルカメラの構成を示すもので、後方より見た外観斜視図である。
【図２】本発明の第１の実施形態に係るカメラのシステム構成を示すブロック図である。
【図３】電池パックの外観斜視図である。
【図４】電池パック内の電池の放電特性を示した図である。
【図５】本発明の第１の実施形態に係るカメラのバッテリホルダ８０の構成を示した外観斜視図である。
【図６】図５のバッテリホルダに電池パックが装着される様子を示した外観斜視図である。
【図７】バッテリホルダ８０内に設けられたトランスファスイッチ１１４構成例を示した図である。
【図８】図７のトランスファスイッチ１１４をバッテリホルダ８０に組み込まれた状態の例を示した図である。
【図９】カメラ本体２０にバッテリホルダ８０が装着される際の状態を示す外観図であって、カメラ正面側下方より見た斜視図である。
【図１０】カメラ本体２０にバッテリホルダ８０が装着される際の状態を示す外観図であって、カメラの背面側から見た図である。
【図１１】本発明の第１の実施形態による電池パックの温度検出を説明するための概略的な電気回路図である。
【図１２】本発明の第１の実施形態に於けるカメラの基本的な動作について説明するフローチャートである。
【図１３】本発明の第２の実施形態に於けるトランスファスイッチ１３２の構成を示した図である。
【図１４】図１３の構成のトランスファスイッチ１３２が組み込まれたバッテリホルダ８０の例を示した図である。
【図１５】本発明の第２の実施形態に於ける電池パックの温度検出を説明するための概略的な電気回路図である。
【図１６】本発明の第２の実施形態に於けるカメラの基本的な動作について説明するフローチャートである。
【図１７】本発明の第３の実施形態による電池パックの温度検出を説明するための概略的な電気回路図である。
【図１８】本発明の第３の実施形態による電池室に装填された電池パックの認識について説明するタイミングチャートである。
【符号の説明】
【０１１４】
１…カメラ、１０…レンズ鏡筒、１１…撮影レンズ、１２…絞り、１３…レンズ駆動機構、１４…絞り駆動機構、１５…レンズ制御用マイクロコンピュータ（Ｌμｃｏｍ）、２０…カメラ本体、２１…レリーズ釦、２２…モードダイヤル、２３…パワースイッチレバー、２４…コントロールダイヤル、２６…液晶モニタ、３３…ファインダ、３５…通信コネクタ、４０…反射鏡、４１…ファインダ光学系、４３…表示用撮像素子、４４…測光回路、４８…ＡＦセンサユニット、５０…シャッタ、５１…撮影用撮像素子、５３…ＡＦセンサ駆動回路、５４…ミラー駆動機構、５５…シャッタチャージ機構、５６…シャッタ制御回路、５９…インターフェイス回路、６０…画像処理コントローラ、６１…ＳＤＲＡＭ、６２…ＦｌａｓｈＭｅｍｏｒｙ、６３…記録メディア、６５…ボディ制御用マイクロコンピュータ（Ｂμｃｏｍ）、６７…不揮発性メモリ（ＥＥＰＲＯＭ）、６８…動作表示用ＬＣＤ、６９…カメラ操作スイッチ（ＳＷ）、７０…電源回路、７５…接点群、８０…バッテリホルダ、８２ａ、８２ｂ…接点群、８５…第１レリーズスイッチ（１ＲＳＷ）、８６…第２レリーズスイッチ（２ＲＳＷ）、８８、９２ａ、９２ｂ…サーミスタ、９０ａ…電池パック（１）、９０ｂ…電池パック（２）、９１ａ、９１ｂ…電池セル、１１０ａ…第１の電池室、１１０ｂ…第２の電池室。
【図１】
2007080617.tif 000004
【図２】
2007080617.tif 000005
【図３】
2007080617.tif 000006
【図４】
2007080617.tif 000007
【図５】
2007080617.tif 000008
【図６】
2007080617.tif 000009
【図７】
2007080617.tif 000010
【図８】
2007080617.tif 000011
【図９】
2007080617.tif 000012
【図１０】
2007080617.tif 000013
【図１１】
2007080617.tif 000014
【図１２】
2007080617.tif 000015
【図１３】
2007080617.tif 000016
【図１４】
2007080617.tif 000017
【図１５】
2007080617.tif 000018
【図１６】
2007080617.tif 000019
【図１７】
2007080617.tif 000020
【図１８】
2007080617.tif 000021